(57)【要約】【課題】輝度及び輝度均一性の向上した平板型蛍光ランプを提供する。【解決手段】複数個のチャネル１１１が形成される第１基板１１０と、前記第１基板１１０と結合して前記チャネル１１１の放電空間を形成する第２基板１２０と、前記平板型蛍光ランプの縁部両端に形成される二対の電極１４０と、を備え、前記チャネル１１１が、中間部に設けられた発光部１１１ｃと、両端に設けられた電極部１１１ａと、を備えており、前記電極部１１１ａが、前記発光部１１１ｃと同一の幅を有しながら前記発光部１１１ａより大きい断面積を有する状態で前記発光部１１１ａに連結される平板型蛍光ランプを構成する。【選択図】図３
2007294462.tif 000002
【特許請求の範囲】
【請求項１】
複数個のチャネルを備える平板型蛍光ランプにおいて、
前記複数個のチャネルが形成される第１基板と、前記第１基板と結合して前記チャネルの放電空間を形成する第２基板と、前記平板型蛍光ランプの縁部両端に形成される二対の電極と、を備え、前記チャネルは、中間部に設けられた発光部と、両端に設けられた電極部と、を備えており、前記電極部は、前記発光部と同一の幅を有しながら前記発光部より大きい断面積を有する状態で前記発光部に連結されることを特徴とする平板型蛍光ランプ。
【請求項２】
前記発光部と電極部は、電極部から発光部に行くほど断面積が徐々に減少する傾斜部を介して連結されることを特徴とする請求項１に記載の平板型蛍光ランプ。
【請求項３】
前記電極部は、前記発光部より高い高さ及び前記発光部と同一の幅を有することを特徴とする請求項１または２に記載の平板型蛍光ランプ。
【請求項４】
前記電極部は、断面積が縁部に行くほど徐々に減少し、隣接した各電極部間の距離が徐々に増加することを特徴とする請求項１または２に記載の平板型蛍光ランプ。
【請求項５】
前記第１基板の両端表面にそれぞれ形成される第１表面電極及び第２表面電極と、
前記第１表面電極及び第２表面電極にそれぞれ対応して前記第２基板の両端表面にそれぞれ形成される第１裏面電極及び第２裏面電極と、
前記第１裏面電極及び第２裏面電極から前記平板型蛍光ランプの外側に延長される延長電極と、をさらに備えることを特徴とする請求項１に記載の平板型蛍光ランプ。
【請求項６】
互いに平行な複数個のチャネルを備える平板型蛍光ランプにおいて、
前記複数個のチャネルが備わる第１基板と、
前記第１基板と合着して前記チャネルを定義する第２基板と、
前記第１基板または第２基板の縁部に塗布され、前記第１基板と第２基板とを合着する接着剤と、
前記平板型蛍光ランプの両端に形成される一対の電極と、を備え、
前記チャネルは、中央に形成される発光部と、前記発光部の両端に形成される電極部と、を備えており、
前記一対の電極は、前記第１基板の両端表面に形成される第１表面電極及び第２表面電極と、前記第１表面電極及び第２表面電極にそれぞれ対応して前記第２基板の両端表面に形成される第１裏面電極及び第２裏面電極と、前記第１裏面電極及び第２裏面電極から延長形成される延長電極と、を含むことを特徴とする平板型蛍光ランプ。
【請求項７】
前記複数個のチャネルは、連結通路を介して互いに連通されることを特徴とする請求項６に記載の平板型蛍光ランプ。
【請求項８】
前記延長電極は、前記第１裏面電極及び第２裏面電極から平板型蛍光ランプの外側に向かって延長されることを特徴とする請求項６に記載の平板型蛍光ランプ。
【請求項９】
前記延長電極は、前記平板型蛍光ランプの両端縁部と中央部にそれぞれ形成されることを特徴とする請求項８に記載の平板型蛍光ランプ。
【請求項１０】
前記延長電極は、前記チャネルの温度分布によって互いに異なる長さを有することを特徴とする請求項９に記載の平板型蛍光ランプ。
【請求項１１】
前記第１裏面電極と第２裏面電極間との間の距離は同一であることを特徴とする請求項１０に記載の平板型蛍光ランプ。
【発明の詳細な説明】
【技術分野】
【０００１】
本発明は、平板型蛍光ランプに関するもので、一層詳しくは、ランプの初期始動電圧及び輝度均一性を向上できる平板型蛍光ランプに関するものである。
【背景技術】
【０００２】
最近、平板型映像表示装置として脚光を浴びている液晶表示装置は、それ自体発光が不可能であるので、別途の光源としてバックライトユニットを必要とする。通常、バックライトユニットには、多数の冷陰極管（Ｃｏｌｄ  Ｃａｔｈｏｄｅ  Ｆｌｕｏｒｅｓｃｅｎｃｅ  Ｌａｍｐ：ＣＣＦＬ）を液晶表示パネルの縁部または背面に配置する構造が広く用いられる。バックライトユニットにおいて、冷陰極管が液晶表示パネルの縁部に配置される構造をエッジ型といい、冷陰極管が液晶表示パネルの背面に形成される構造を直下型という。
【０００３】
直下型バックライトユニットには、輝度は高いが、輝度均一性が低いという短所があり、エッジ型バックライトユニットには、輝度は低いが、輝度均一性が高いという長所がある。
【０００４】
したがって、前記直下型バックライトユニット及びエッジ型バックライトユニットの長所を維持しつつ短所を改善するために、平板型蛍光ランプが開発された。以下、平板型蛍光ランプに関し、図１及び図２に基づいて説明する。
【０００５】
図１は、従来の平板型蛍光ランプの構造を示す分解斜視図で、図２は、従来の平板型蛍光ランプを示す平面図である。
【０００６】
図１及び図２に示すように、平板型蛍光ランプ１００は、第１基板１１０と第２基板１２０とが互いに結合されて形成される。前記第１基板１１０には、同一の大きさ及び断面積を有する複数個のチャネル１１１が等間隔で形成されており、前記第２基板１２０は、ガラスなどからなる平板である。前記第１基板１１０と第２基板１２０とが互いに結合することで、放電空間が形成される。
【０００７】
前記第１基板１１０と第２基板１２０は、接触面に塗布された第１接着剤１３０によって互いに結合される。前記第１接着剤１３０によって第１及び第２基板１１０，１２０の縁部が結合され、各チャネル１１１の間が遮断されることで、複数の放電空間が形成される。そして、前記チャネル１１１の内部、すなわち、放電空間に放電ガスが注入される。
【０００８】
そして、前記第１基板１１０と第２基板１２０との結合によって形成される平板型蛍光ランプの両端上下面には、帯状の電極１４０が形成されており、この帯状の電極１４０によってチャネル１１１の内部に電源が供給される。ここで、各チャネル１１１は、電極１４０が形成される電極部１１１ａと、光が発生する発光部１１１ｂとに区分される。
【０００９】
したがって、前記電極１４０に電源を印加すると、放電空間で放電ガスの放電が起きることで、発光部１１１ｂの表面に光が発生するようになる。
【発明の開示】
【発明が解決しようとする課題】
【００１０】
しかしながら、従来の平板型蛍光ランプ１００においては、各チャネル１１１の電極部１１１ａと発光部１１１ｂの断面積が同一であるが、これは、電極部１１１ａの内部空間が狭いことを意味するもので、平板型蛍光ランプ１００の初期駆動時間を増加させる。したがって、平板型蛍光ランプの初期駆動時間を減少させるために初期放電電圧を増加させるべきであるが、初期放電電圧を増加させると、チャネル１１１内部の電子衝突が激しくなり、平板型蛍光ランプの寿命が短縮される。
【００１１】
また、前記電極１４０に電源を印加するとき、高温の熱によって前記電極部１１１ａに変形が発生しうるが、前記電極部１１１ａの変形によって第１基板１１０と第２基板１２０との接触面が分離される場合、隣接した各チャネル１１１の間に放電ガスが混合することで、輝度及び輝度均一性が低下する。
【００１２】
一方、平板型蛍光ランプの輝度不均一は、各チャネル間の温度偏差によっても発生することもある。すなわち、複数のチャネルのうち平板型蛍光ランプの中央部は、相対的に高温であって輝度が高く、平板型蛍光ランプの縁部は、相対的に低温であって輝度が低い。
【００１３】
これは、平板型蛍光ランプの背面中央に配置されるインバータなどの電子部品に起因するか、平板型蛍光ランプを立てて用いるときの対流現象に起因するものとしても知られている
本発明は上記の問題点を解決するためになされたもので、その目的は、輝度及び輝度均一性の向上した平板型蛍光ランプを提供することにある。
【課題を解決するための手段】
【００１４】
上記の目的を達成するために、本発明の平板型蛍光ランプは、複数個のチャネルを備える平板型蛍光ランプにおいて、前記複数個のチャネルが形成される第１基板と、前記第１基板と結合して前記チャネルの放電空間を形成する第２基板と、前記平板型蛍光ランプの縁部両端に形成される二対の電極と、を備え、前記チャネルは、中間部に設けられた発光部と、両端に設けられた電極部と、を備えており、前記電極部は、前記発光部と同一の幅を有しながら前記発光部より大きい断面積を有する状態で前記発光部に連結されることを特徴とする。
【発明の効果】
【００１５】
本発明によると、平板型蛍光ランプが複数個のチャネルを有しながら、チャネル両端の電極部の断面積を発光部の断面積より大きくすることで、輝度及び輝度均一性を向上できるという効果がある。
【００１６】
さらに、平板型蛍光ランプの両端に形成される電極は、チャネルの電極部及び発光部との重畳面積を増加させる延長電極をさらに備えることで、輝度均一性の向上及び初期始動電圧の減少という効果を得られる。
【発明を実施するための最良の形態】
【００１７】
以下、本発明の平板型蛍光ランプに対し、添付の図面に基づいて詳細に説明する。
【００１８】
図３は、本発明の一実施例に係る平板型蛍光ランプを示す分解斜視図で、図４は、本発明の一実施例に係る平板型蛍光ランプを示す断面図である。
【００１９】
図３及び図４に示すように、第１基板１１０には、放電空間を備える複数個のチャネル１１１が互いに平行に形成される。また、前記放電空間には放電ガスが充填される。
【００２０】
前記チャネル１１１は、発光部１１１ｂと、この発光部１１１ｂの両端に形成される電極部１１１ａと、から構成される。前記電極部１１１ａと発光部１１１ｂは、同一の幅を有するが、前記電極部１１１ａの高さが前記発光部１１１ｂの高さより高いので、電極部１１１ａの断面積が前記発光部１１１ｂの断面積より大きい。
【００２１】
また、前記電極部１１１ａと発光部１１１ｂは、電極部１１１ａから発光部１１１ｂに行くほど断面積が徐々に減少する傾斜部１１１ｃによって互いに連結される。
【００２２】
前記第１基板１１０と板状の第２基板１２０とが結合されて平板型蛍光ランプを構成するが、前記第１基板１１０と第２基板１２０との結合によって前記チャネル１１１の放電空間が定義される。
【００２３】
前記第１基板１１０または第２基板１２０は、二つの基板のうち何れか一つの縁部に接着剤１３０を塗布して加圧することで互いに合着される。
【００２４】
上記のように前記第１基板１１０と第２基板１２０とが接合された後、定義されるチャネル１１１の放電空間に放電ガスが注入され、各チャネル１１１の電極部１１１ａに電極１４０が設置されると、平板型蛍光ランプ１００の製造が完了する。
【００２５】
完成した平板型蛍光ランプ１００の電極１４０に電源を供給すると、電極部１１１ａの内部空間で電子が励起され、この励起された電子によって発光部１１１ｂの蛍光体が発光されることで、光が発生するようになる。
【００２６】
前述した実施例は、電極部１１１ａの断面積を発光部１１１ｂの断面積より相対的に増加させ、電極部１１１ａで生成される電子の数を増加させることで、初期始動電圧を低下させるのに寄与する。特に、前記実施例は、電極部１１１ａの断面積を発光部１１１ｂの断面積より増加させながら、電極部１１１ａと発光部１１１ｂの幅を同一にすることで、隣接する各電極部１１１ａ間の電子の流出及び流入を減少させて輝度均一性を向上させる。
【００２７】
本発明の他の実施例は、隣接する各電極部間の電子の流出及び流入を一層制限し、輝度均一性を向上させる平板型蛍光ランプを提供する。
【００２８】
図５及び図６は、本発明の他の実施例に係る平板型蛍光ランプを示す分解斜視図及び断面図である。
【００２９】
図５及び図６に示すように、本実施例に係る平板型蛍光ランプは、互いに平行な複数個のチャネル１１１を備える第１基板１１０と、この第１基板１１０と結合して放電空間を定義する第２基板１２０と、前記第１及び第２基板１１０，１２０を互いに合着させる接着剤１３０と、前記各チャネル１１１の両端に形成される電極１４０と、を含み、前記チャネル１１１は、発光部１１１ｂと、その両端に形成される電極部１１１ａと、を備えており、前記電極部１１１ａの断面積が徐々に減少することを特徴とする。その結果、前記チャネル両端において断面積が最も小さい。
【００３０】
すなわち、前記電極部１１１ａと発光部１１１ｂは、互いに同一の幅を有するが、前記電極部１１１ａの高さが前記発光部１１１ｂの高さより高いので、前記電極部１１１ａの断面積が前記発光部１１１ｂの断面積より大きい。しかし、前記電極部１１１ａは、チャネル１１１の端部に行くほど幅が徐々に減少し、隣接する各電極部間の距離が徐々に増加するように構成される。よって、本実施例の平板型蛍光ランプの電極部１１１ａは、電極部１１１ａと発光部１１１ｂの連結部からチャネル１１１の端部に行くほど前記電極部１１１ａの断面積が徐々に減少するように構成される。このとき、前記電極部１１１ａの幅が徐々に減少するのみならず、前記電極部１１１ａの高さも徐々に減少するように構成される。
【００３１】
前記電極部１１１ａと発光部１１１ｂは、電極部１１１ａから発光部１１１ｂに行くほど断面積が徐々に減少する傾斜部１１１ｃによって連結される。
【００３２】
前記実施例に係る平板型蛍光ランプは、電極１４０に電源が供給されるとき、電子が発生する各電極部１１１ａ間の距離を遠ざけるように構成することで、電極部１１１ａで発生する各電子が、隣接する電極部１１１ａに移動することを防止し、輝度均一性を向上させる役割をする。
【００３３】
また、電極部１１１ａの内部空間を発光部１１１ｂより大きく構成することで、励起される電子の数を増加させ、放電始動電圧を減少させる役割もする。
【００３４】
しかしながら、平板型蛍光ランプの輝度は、平板型蛍光ランプの位置による温度差によって不均一になることもある。
【００３５】
本発明の更に他の実施例は、輝度均一性を向上させる電極構造を提供する。
【００３６】
図７は、本発明の更に他の実施例に係る平板型蛍光ランプを示す分解斜視図で、図８は、 本発明の更に他の実施例に係る平板型蛍光ランプを示す平面図で、図９は、図８のＡ―Ａ線に沿った断面図で、図１０は、図８のＢ―Ｂ線に沿った断面図である。
【００３７】
図７乃至図１０を参照すると、本実施例の平板型蛍光ランプは、互いに平行な複数のチャネル１１１を備える第１基板１１０と、この第１基板１１０と合着して前記チャネル１１１の放電空間を定義する板状の第２基板１２０と、前記第１基板１１０または第２基板１２０のうち何れか一つの縁部に塗布され、前記第１基板１１０と第２基板１２０とを合着する接着剤１３０と、前記第１基板１１０の両端表面にそれぞれ形成される第１表面電極４１及び第２表面電極４２と、前記第１表面電極４１及び第２表面電極４２にそれぞれ対応して、前記第２基板１２０の両端表面にそれぞれ形成される第１裏面電極４３及び第２裏面電極４４と、前記第１裏面電極４３及び第２裏面電極４４から前記平板型蛍光ランプの外側に延長される延長電極５０と、前記各チャネル１１１内の放電空間を互いに連結する連結通路１２と、を備えることを特徴とする。
【００３８】
前記複数のチャネル１１１は、互いに平行に構成される。また、前記チャネル１１１は、チャネル１１１の中央部を構成する発光部１１１ｂと、この発光部１１１ｂの両端に形成されてチャネル１１１の両端を構成する電極部１１１ａと、から構成される。前記電極部１１１ａは、前記発光部１１ｂと同一の幅を有するが、その高さが前記発光部１１１ｂの高さより高い。したがって、前記電極部１１１ａの断面積は、前記発光部１１１ｂの断面積より大きいことを特徴とする。
【００３９】
前記各チャネル１１１は、連結通路１２を介して互いに空間的に連結される。特に、前記連結通路１２は、チャネル１１１の中央部に形成される。
【００４０】
前記第１基板１１０の底面には、前記チャネル１１１内部を密閉させるための板状の第２基板１２０が設置される。
【００４１】
前記第１基板１１０及び第２基板１２０のうち何れか一つの表面縁部に接着剤１３０が塗布され、この接着剤１３０によって前記第１基板１１０と第２基板１２０とが合着される。
【００４２】
前記第１基板１１０と第２基板１２０との接合によってチャネル１１１が形成された後、チャネル１１１の内部が排気によって真空状態になり、チャネル１１１の内部に放電ガスが注入される。
【００４３】
前記チャネル１１１が互いに連結通路１２０によって連結される場合、複数個のチャネル１１１うち何れか一つを通して排気及び放電ガス注入が行われることもある。
【００４４】
一方、前記平板型蛍光ランプの第１基板１１０の両端に形成された電極部１１１ａの表面には、第１表面電極４１及び第２表面電極４２が形成され、前記第２基板１２０の表面には、前記第１表面電極４１及び第２表面電極４２にそれぞれ対応する第１裏面電極４３及び第２裏面電極４４が設置される。
【００４５】
前記第１裏面電極４３及び第２裏面電極４４は、延長電極５０をさらに含むが、この延長電極５０は、前記第１裏面電極４３及び第２裏面電極４４から平板型蛍光ランプの外側に突出される。すなわち、前記第１裏面電極４３と第２裏面電極４４との間の距離は同一にしながら、前記延長電極５０によって裏面電極の広さを大きくする。
【００４６】
したがって、前記第１裏面電極４３と第２裏面電極４４との間の距離が平板型蛍光ランプ全体において互いに同一であるため、輝度均一性も保障することができる。また、延長電極５０は、低温であるチャネルで電子の発生を増加させ、輝度均一性を向上させるものである。
【００４７】
前記延長電極５０は、第１裏面電極４３及び第２裏面電極４４の両端及び中央部に形成される。このような構成は、平板型蛍光ランプの中央部と両端部が他の領域に比べて相対的に低温であって、輝度が相対的に低いことに起因するが、前記延長電極５０の形成によって輝度均一性を向上させることができる。ここで、輝度均一性が向上する理由は、前記延長電極５０と電極部１１１ａとの重畳面積を増加させ、電極部１１１ａで電子を一層多く生成させるためであると知られている。
【００４８】
したがって、前記延長電極５０は、電極部１１１ａの両端及び中央部のみならず、平板型蛍光ランプの温度分布を分析した上で、各チャネルごとに大きさを異ならせて形成することもできる。
【００４９】
前記実施例の平板型蛍光ランプによると、放電空間の大きさが向上した電極部１１１ａを備えることで、放電効率が向上する。
【００５０】
一方、温度差が発生する複数個のチャネル１１１のうち前記延長電極５０が形成されたチャネルには、電源の供給量が増加し、発生する電子の数が増加するので、初期始動電圧を減少させ、点灯時間も短縮させることができる。
【００５１】
また、各チャネル１１１間の温度偏差を補償することで、輝度均一性を向上させることができる。
【図面の簡単な説明】
【００５２】
【図１】従来の平板型蛍光ランプを示す分解斜視図である。
【図２】従来の平板型蛍光ランプを示す平面図である。
【図３】本発明の一実施例に係る平板型蛍光ランプを示す分解斜視図である。
【図４】本発明の一実施例に係る平板型蛍光ランプを示す断面図である。
【図５】本発明の他の実施例に係る平板型蛍光ランプを示す分解斜視図である。
【図６】本発明の他の実施例に係る平板型蛍光ランプを示す断面図である。
【図７】本発明の更に他の実施例に係る平板型蛍光ランプを示す分解斜視図である。
【図８】本発明の更に他の実施例に係る平板型蛍光ランプを示す平面図である。
【図９】図８のＡ―Ａ線に沿った断面図である。
【図１０】図８のＢ―Ｂ線に沿った断面図である。
【符号の説明】
【００５３】
１００  平板型蛍光ランプ
１１０  第１基板
１１１  チャネル
１２０  第２基板
１３０  接着剤
１４０  電極
【図１】
2007294462.tif 000003
【図２】
2007294462.tif 000004
【図３】
2007294462.tif 000005
【図４】
2007294462.tif 000006
【図５】
2007294462.tif 000007
【図６】
2007294462.tif 000008
【図７】
2007294462.tif 000009
【図８】
2007294462.tif 000010
【図９】
2007294462.tif 000011
【図１０】
2007294462.tif 000012